(57)【要約】【目的】ミシンの縫い模様を表示する複数のパネルを簡単に出入自在としたミシンの早見パネル装置とすること。【構成】縫い模様が記載されたパネルＢと、パネルＢが複数重ね状態で収納されると共にパネルＢをＸ方向に出入可能なパネル収納ケースＡとを備えること。パネルＢの面方向をＹ方向とし、Ｘ方向に対して複数のパネルＢの重ね方向をＺ方向とすること。Ｘ方向のパネル出入終端部１ｂには、パネルＢと同数の係止部ＡｆがＹ方向に沿って形成され、各パネルＢには、各係止部Ａｆと対応する位置に被係止部Ｂｆが形成され、それぞれの係止部Ａｆと被係止部Ｂｆとの係止位置はＹ方向及びＺ方向で位置が異なること。【選択図】      図１
2019037595.tif 000002
【特許請求の範囲】
【請求項１】
縫い模様が記載されたパネルと、該パネルが複数重ね状態で収納されると共に該パネルをＸ方向に出入可能なパネル収納ケースとを備え、前記パネルの面方向をＹ方向とし、複数の前記パネルの重ね方向をＺ方向とし、前記Ｘ方向のパネル出入終端部には、前記パネルと同数の係止部がＹ方向に沿って形成され、各前記パネルには、各前記係止部と対応する位置に被係止部が形成され、それぞれの前記係止部と前記被係止部との係止位置は前記Ｙ方向及び前記Ｚ方向で位置が異なることを特徴とするミシンの早見パネル装置。
【請求項２】
前記パネル収納ケースの前記係止部の前記Ｚ方向における位置は、前記パネル収納ケースに複数重ね状態で収納された前記パネルにおけるそれぞれの前記被係止部の位置と対応することを特徴とする請求項１に記載のミシンの早見パネル装置。
【請求項３】
前記パネル収納ケースの複数の前記係止部にはそれぞれに係止する前記パネルの前記被係止部を裏面側より支持すると共に、前記パネルの板厚と同等の段差を有する支持面を有する支持段部が形成されてなることを特徴とする請求項１又は２に記載のミシンの早見パネル装置。
【請求項４】
前記支持段部は、前記Ｙ方向に沿って階段状に形成されてなることを特徴とする請求項１又は２に記載のミシンの早見パネル装置。
【請求項５】
前記パネル収納ケースのＸ方向終端部には複数の前記係止部が配置される係止室が形成され、複数の前記パネルの前記被係止部は、前記係止室へ挿入して係止する構成としてなることを特徴とする請求項１，２，３又は４の何れか１項に記載のミシンの早見パネル装置。
【請求項６】
前記係止部は係止腕片と係止突起とからなり、前記被係止部は前記パネルの前記Ｘ方向終端部に被係止孔が形成された被係止突出板とからなることを特徴とする請求項１，２，３，４又は５の何れか１項に記載のミシンの早見パネル装置。
【発明の詳細な説明】
【技術分野】
【０００１】
本発明は、ミシンの縫い模様を表示する複数のパネルを簡単に出入自在としたミシンの早見パネル装置に関する。
【背景技術】
【０００２】
従来、ミシンには、種々の模様縫い，刺しゅう縫い等の模様や模様に関する記号が記載された表示部を備えたものが多く存在している。そして、コンピュータ化されたミシンによって、所望の縫い模様を縫製することができる。この種のミシンで最も簡単なものでは、前記縫い模様が記載されたパネル又はカードを複数枚備え、手めくり等の方法で所望の縫い模様を探し、これに対応する操作を行うことで所望の縫い模様を縫製することができる。
【０００３】
特許文献１では、模様早見板がミシン機枠に装着されていることが開示されている。ここで、使用されている模様早見板は、軸受部に軸支された回転軸によって、回動自在となり、表示部が作業者に視認することができるようになっている。そして、この表示部に記載されている多数の模様と、該模様に記載されている模様番号に従い、該当する操作キーを押すなど操作を行い所望の模様の縫い作業を行うことができる。
【先行技術文献】
【特許文献】
【０００４】
【特許文献１】実開昭６３−２０２２７２号公報
【特許文献２】実開平３−６８４８６号公報
【発明の概要】
【発明が解決しようとする課題】
【０００５】
特許文献１では、早見板の枚数が１枚か多くても２枚であり、縫い模様のデータ量が少なく限られてしまう。また、操作も手めくりで、面倒である。さらに、ミシンの機枠の外面に装着するので、そのためのスペースが必要であり、種々の操作ボタン或いはキーが配置されている操作部の面積が制限されるおそれがある。
【０００６】
そこで、特許文献２に開示されているような複数枚の所定事項が記載されたカードから必要とするカードを引き出すタイプの早見表が存在する。この種のものをミシンの縫い模様集に利用することが考えられる。つまり、複数の模様が記載された早見パネルを複数枚備え、これをミシン機枠内に装着しようとするものである。
【０００７】
しかし、複数の早見パネルが重ねられてケース内に収納された構成としたものにおいて、所望の縫い模様を探そうとして、それぞれの早見パネルを１枚引き出そうとすると、引出時の摩擦や静電気により同時に他の早見パネルも引きずられて、一緒に出てしまうことがある。これでは、所望の早見パネルを引き出した時に、引きずられて一緒に出てきた早見パネルが邪魔になって、所望のパネルの視認することができないことがある。
【０００８】
そのために、摩擦や静電気により引きずり出された余分のパネルは収納しなくてはならず、所望の早見パネルを引き出す操作が煩わしくなってしまうという欠点がある。そこで、本発明が解決しようとする技術的課題は、複数の早見パネルが重ねられた状態で、ケース内に収納されたものにおいて、所望の早見パネルを引き出すときに、他の早見パネルが摩擦や静電気により一緒に引きずり出されることがなく、早見パネルをより一層利用しやすいものにできるようにすることにある。
【課題を解決するための手段】
【０００９】
そこで、発明者は、上記課題を解決すべく、鋭意、研究を重ねた結果、請求項１の発明を、縫い模様が記載されたパネルと、該パネルが複数重ね状態で収納されると共に該パネルをＸ方向に出入可能なパネル収納ケースとを備え、前記パネルの面方向をＹ方向とし、複数の前記パネルの重ね方向をＺ方向とし、前記Ｘ方向のパネル出入終端部には、前記パネルと同数の係止部がＹ方向に沿って形成され、各前記パネルには、各前記係止部と対応する位置に被係止部が形成され、それぞれの前記係止部と前記被係止部との係止位置は前記Ｙ方向及び前記Ｚ方向で位置が異なるミシンの早見パネル装置。としたことにより、上記課題を解決した。
【００１０】
請求項２の発明を、前記パネル収納ケースの前記係止部の前記Ｚ方向における位置は、前記パネル収納ケースに複数重ね状態で収納された前記パネルにおけるそれぞれの前記被係止部の位置と対応する請求項１に記載のミシンの早見パネル装置としたことにより、上記課題を解決した。
【００１１】
請求項３の発明を、前記パネル収納ケースの複数の前記係止部にはそれぞれに係止する前記パネルの前記被係止部を裏面側より支持すると共に、前記パネルの板厚と同等の段差を有する支持面を有する支持段部が形成されてなる請求項１又は２に記載のミシンの早見パネル装置としたことにより、上記課題を解決した。請求項４の発明を、前記支持段部は、前記Ｙ方向に沿って階段状に形成されてなる請求項１又は２に記載のミシンの早見パネル装置としたことにより、上記課題を解決した。
【００１２】
請求項５の発明を、前記パネル収納ケースのＸ方向終端部には複数の前記係止部が配置される係止室が形成され、複数の前記パネルの前記被係止部は、前記係止室へ挿入して係止する構成としてなる請求項１，２，３又は４の何れか１項に記載のミシンの早見パネル装置としたことにより、上記課題を解決した。請求項６の発明を、前記係止部は係止腕片と係止突起とからなり、前記被係止部は前記パネルの前記Ｘ方向終端部に被係止孔が形成された被係止突出板とからなる請求項１，２，３，４又は５の何れか１項に記載のミシンの早見パネル装置としたことにより、上記課題を解決した。
【発明の効果】
【００１３】
請求項１の発明では、パネル収納ケースに重ね状態で収納された複数の各パネルは、Ｘ方向に沿って出入可能なものであり、各係止部と対応する位置に被係止部が形成され、それぞれの係止部と被係止部との係止位置は前記Ｙ方向及び前記Ｚ方向で位置が異なる構成としたことにより、複数のパネルは、それぞれが個別に係止固定される。
【００１４】
そして、パネルをＸ方向にスライドさせる時のみ、係止又は係止解除されるものである。したがって、重ね状態とした複数のパネルから所望のパネルを引き出すときに、所望のパネルに隣接するパネルとの間の摩擦や静電気により引きずり出す力が作用しても、他のパネルが係止固定されているので、引きずり出されることを防止できる。
【００１５】
請求項２の発明では、複数の前記パネルは、各前記係止部の前記Ｚ方向における位置は、各前記係止部に対応する前記パネルの重ねられた位置に応じて設定されたことにより、パネル収納ケース側の係止部と、パネルの被係止部との係止状態をより一層確実にすることができる。また、全てパネルにおいてそれぞれの板厚が等しく形成され場合では、係止部と被係止部との係止状態はさらに確実なものにできる。
【００１６】
請求項３の発明では、パネル収納ケースの複数の前記係止部の位置にはそれぞれに係止するパネルの被係止部を裏面側より支持すると共に、パネルの板厚と同等の段差を有する支持面を有する支持段部が形成されたことで、パネル収納ケース側の係止部と、パネルの被係止部との係止状態をより一層強固にすることができる。請求項４の発明では、支持段部は、Ｙ方向に沿って次第に低くなる階段状に形成されたことにより、本発明の組立を簡単且つ効率的にできる。
【００１７】
請求項５の発明では、パネル収納ケースのＸ方向終端部には複数の係止部が配置される係止室が形成され、複数のパネルの被係止部は、係止室へ挿入して係止する構成としたことにより、パネル収納ケースの小型化を実現でき、ミシン機枠に装着または、内蔵し易いものにできる。請求項６の発明では、係止部は係止腕片と係止突起とからなり、被係止部は前記パネルのＸ方向終端部に被係止孔が形成された被係止突出板とからなる構成により、パネル収納ケースの一体化が行い易いものにできる。
【図面の簡単な説明】
【００１８】
【図１】（Ａ）は本発明においてパネルが複数重ね状態でパネル収納ケースに収納された状態のミシンの斜視図、（Ｂ）は（Ａ）の（α）部における本発明の早見パネル装置の正面図である。
【図２】（Ａ）はパネル収納ケースの斜視図、（Ｂ）は（Ａ）の（β）部拡大図、（Ｃ）はパネルの全体の斜視図である。
【図３】（Ａ）はパネル収納ケースの正面図、（Ｂ）は（Ａ）のＹ1−Ｙ1矢視図、（Ｃ）は（Ａ）の（γ）部拡大図、（Ｄ）は（Ｃ）のＹ2−Ｙ2矢視断面図、（Ｅ）は（Ｃ）のＸ1−Ｘ1矢視断面図である。
【図４】（Ａ）乃至（Ｄ）は被係止部及び摘みの位置がＹ方向に異なる各パネルの正面図、（Ｅ）はパネル収納ケースが装着されたミシンの一部を示す略示図である。
【図５】（Ａ）乃至（Ｃ）はパネルを引き出す行程を示す要部の正面斜視図、（Ｄ）は（Ａ）のＸ2−Ｘ2矢視断面図、（Ｅ）は（Ｂ）のＸ3−Ｘ3矢視断面図、（Ｆ）は（Ｃ）のＸ4−Ｘ4矢視断面図である。
【発明を実施するための形態】
【００１９】
以下、本発明を図面に基づいて説明する。本発明のミシンの早見パネル装置は、図１に示すように、おおきくパネル収納ケースＡと、係止部Ａｆと、パネルＢと、被係止部Ｂｆとから構成される。パネル収納ケースＡは、収納室１と前記係止部Ａｆが複数備わっている係止室１６とから構成される〔図２（Ａ），図３参照〕。前記収納室１は、略方形状の底面１１の周囲に立上り状の囲い部１２が形成されている〔図２（Ａ），図３（Ａ）参照〕。底面１１と方形状の囲い部１２によって、扁平直方体状の収納スペースＳが構成される。前記パネル収納ケースＡは、ミシンの機枠６内に装着される。
【００２０】
該収納スペースＳには、複数のパネルＢが重ね状態となって収納される〔図１（Ａ），図５参照〕。そして、パネルＢはスライド動作により、パネル収納ケースＡから出入される〔図１（Ａ）参照〕。本発明の説明において、パネルＢがパネル収納ケースＡから出入するスライド方向をパネル収納ケースＡ及びパネルＢのＸ方向とする。
【００２１】
また、パネル収納ケースＡに重ね状態で収納された複数のパネルＢの面方向で、且つ前記Ｘ方向に直交する方向をＹ方向とする。さらに、パネル収納ケースＡに重ね状態で収納されたパネルＢ，Ｂ，…の厚さ重ね方向をＺ方向とする。つまり、Ｚ方向は、前記Ｘ方向及び前記Ｙ方向に直交する方向である（図２参照）。
【００２２】
収納室１のＸ方向において、パネルＢが出入するときに外部に引き出される開口をパネル出入開口部１ａと称する。また、パネル出入開口部１ａからＸ方向に対向する位置の奥側端部をパネル出入終端部１ｂと称する。そして、前記囲い部１２のＹ方向両側に押え突部１３，１３が形成されている。該押え突部１３，１３は、Ｙ方向において収納スペースＳ側に突出する突起として形成される。押え突部１３，１３は、収納スペースＳに重ね状態で収納された複数のパネルＢを閉じ込めておく役目をなす。
【００２３】
該押え突部１３，１３は、収納スペースＳに重ね状に収納されたパネルＢの最前面に位置するパネルＢのＹ方向両端が押さえられる〔図１（Ａ），図３（Ａ）参照〕。収納室１の底面１１と、前記押え突部１３，１３のＺ方向における間隔は、重ね状態のパネルＢの枚数分に等しく設定されており、予めパネルＢの収納枚数が決定される。
【００２４】
囲い部１２のＹ方向両側には、パネル出入開口部１ａ側において引出固定部１４，１４が形成され、パネル出入終端部１ｂ側には、終端固定部１５，１５が形成されている〔図１（Ａ），図３（Ａ）参照〕。引出固定部１４，１４は、パネル収納ケースＡからパネルＢを引き出した状態を維持する役目をなす。また、終端固定部１５，１５は、パネル収納ケースＡにパネルＢを収納した状態で維持する役目をなす。
【００２５】
係止部Ａｆは、パネル収納ケースＡのＸ方向におけるパネル出入終端部１ｂ側に設けられている（図２，図３参照）。係止部Ａｆは、パネルＢと同数が設けられる〔図１（Ａ），図５参照〕。係止部Ａｆは、係止腕片２１と係止突起２２とから構成される。係止部Ａｆは、パネル収納ケースＡを構成する合成樹脂で形成される。
【００２６】
パネル収納ケースＡには、Ｘ方向におけるパネル出入終端部１ｂ側で且つ前記囲い部１２の一部が外方に略長方形状に突出するように形成された係止室１６が設けられる。そして、係止部Ａｆは、係止室１６の囲い部１２から一体形成される。また、係止部Ａｆは、パネル収納ケースＡとは別部材として、板バネ状の金属材から形成されることもある。
【００２７】
係止部Ａｆは、パネル収納ケースＡに収納されている重ね状態の複数のパネルＢを個別に係止固定する役目をなす。係止部Ａｆは、前述したように、パネル収納ケースＡに収納されるパネルＢの枚数と同数設けられる。ここで、パネルＢの枚数をｎ枚とすると、係止部Ａｆはｎ個設けられる。
【００２８】
本発明の実施形態では、パネルＢを４枚として説明する。そこで、係止部Ａｆは、係止部Ａｆ1，係止部Ａｆ2，係止部Ａｆ3及び係止部Ａｆ4とする〔図２（Ａ），図３（Ａ），（Ｂ），図４参照〕。係止部Ａｆ1，係止部Ａｆ2，係止部Ａｆ3及び係止部Ａｆ4は、Ｘ方向において同一位置に存在し、Ｙ方向及びＺ方向において位置が異なる。
【００２９】
パネル収納ケースＡは、Ｚ方向において開口する側を前面側とし、底面１１側を後面側とする。そして、Ｙ方向において、上方から下方に向かって係止部Ａｆ1，係止部Ａｆ2，係止部Ａｆ3，係止部Ａｆ4の配置とする。さらに、Ｚ方向から見ると前面側から後面側に向かって係止部Ａｆ1，係止部Ａｆ2，係止部Ａｆ3，係止部Ａｆ4の順番で配置する〔図２（Ａ），図３（Ａ），（Ｂ）参照〕。Ｚ方向における係止部Ａｆ1，係止部Ａｆ2，係止部Ａｆ3，係止部Ａｆ4のそれぞれ隣接する箇所の段差は、それぞれのパネルＢの板厚に略等しい。
【００３０】
パネル収納ケースＡの複数の前記係止部Ａｆの位置には、それぞれに対応するパネルＢの被係止部を裏面側より支持すると共に、パネルＢの板厚と同等の段差を有する支持面１７ａを有する支持段部１７が形成されることもある〔図３（Ｄ）参照〕。該支持段部１７の複数の支持面１７ａは、Ｙ方向に沿って階段状に形成される〔図２（Ｂ），図３（Ｄ）参照〕。
【００３１】
パネルＢは、略方形状の板であり、複数備えられる。パネルＢには、主板部５と摘み５１と被係止部Ｂｆを有する〔図４（Ａ）乃至（Ｄ）参照〕。主板部５には多数の縫い模様が記載され、各縫い模様には番号が付されている。縫い模様に付された番号に基づいて、ミシン操作部の操作ボタン又はキーを操作することで、模様を縫製することができる。
【００３２】
被係止部Ｂｆは、被係止突出板５２に被係止孔５３が形成されたものである。被係止部Ｂｆは、パネル収納ケースＡに設けられた係止部Ａｆと係止する。つまりパネル収納ケースＡに収納された複数の重ね状態としたパネルＢ，Ｂ，…がそれぞれの係止部Ａｆと被係止部Ｂｆ同士が係止することで、各パネルＢが個別にパネル収納ケースＡに係止される。
【００３３】
パネルＢは、前述したように、複数枚備えられ、パネル収納ケースＡの係止部Ａｆと同数となる（図５参照）。パネルＢの枚数ｎは、適宜設定することができ、本発明の実施形態では４枚とする。したがって、４枚のパネルＢは、それぞれパネルＢ1，パネルＢ2，パネルＢ3及びパネルＢ4と称する（図４参照）。これら複数のパネルＢ（Ｂ1，Ｂ2，Ｂ3，
Ｂ4）の板厚は、全て等しい。
【００３４】
そして、これらのパネルＢ1，パネルＢ2，パネルＢ3及びパネルＢ4が重ね状態とされ、パネル収納ケースＡの収納スペースＳに収納される。このとき、パネル収納ケースＡのＺ方向において前面側から後面側に向かってパネルＢ1，パネルＢ2，パネルＢ3及びパネル
Ｂ4の順番とする〔図２（Ｃ）参照〕。つまり、パネルＢ４は、底面１１に設置されるこ
とになる。
【００３５】
パネルＢ1，パネルＢ2，パネルＢ3及びパネルＢ4が順番通り重ねられると、Ｙ方向において、被係止部Ｂｆ1，被係止部Ｂｆ2，被係止部Ｂｆ3，被係止部Ｂｆ4の位置が異なり、Ｚ方向における上方から下方に向かって被係止部Ｂｆ1，被係止部Ｂｆ2，被係止部Ｂｆ3
，被係止部Ｂｆ4の順番となる。
【００３６】
この順番は、パネル収納ケースＡに設けられたＺ方向における係止部Ａｆ1，係止部Ａ
ｆ2，係止部Ａｆ3，係止部Ａｆ4の順番と等しくなる。つまり、パネルＢ1の被係止部Ｂｆ1が係止部Ａｆ1に対応し、パネルＢ2の被係止部Ｂｆ2が係止部Ａｆ2に対応し、パネルＢ3の被係止部Ｂｆ3が係止部Ａｆ3に対応し、パネルＢ4の被係止部Ｂｆ4が係止部Ａｆ4に対
応する。
【００３７】
そして、パネルＢ1の被係止部Ｂｆ1と係止部Ａｆ1とが係止し、パネルＢ2の被係止部Ｂｆ2が係止部Ａｆ2に係止し、パネルＢ3の被係止部Ｂｆ3が係止部Ａｆ3に係止し、パネル
Ｂ4の被係止部Ｂｆ4が係止部Ａｆ4に係止する〔図１（Ｂ），図５（Ａ）参照〕。ここで
、パネルＢ1乃至パネルＢ4のそれぞれの板厚が等しいことにより、それぞれの係止部Ａｆと被係止部Ｂｆとは正確に係止することができる〔図５（Ａ）参照〕。
【００３８】
そして、複数のパネルＢ（Ｂ1，Ｂ2，Ｂ3，Ｂ4）は、パネル収納ケースＡの収納室１にそれぞれ個別に係止固定される。また、前記支持段部１７が形成された場合では、支持段部１７の各支持面１７ａが各被係止部Ｂｆの裏面側に当接又は近接した状態となり、係止部Ａｆと係止状態にある被係止部Ｂｆの係止状態をより一層確実にできる〔図５（Ｄ）参照〕。
【００３９】
本発明の早見パネル装置は、ミシン機枠６内に収納される。そしてパネル収納ケースＡのパネル出入開口部１ａに対応する位置に機枠開口部６１が形成され、パネル収納ケースＡに重ね状態で収納されたパネルＢの摘み５１が外方に突出するようになっている。そして、所望のパネルＢの摘み５１を引くことで所望のパネルＢを引き出すことができる。
【００４０】
次に、本発明の動作を説明する。図５は、パネル収納ケースＡの係止部Ａｆ（係止部Ａｆ1乃至係止部Ａｆ4）とパネルＢ（パネルＢ1乃至パネルＢ4）の摘み５１の部分を拡大した平面斜視図である。まず、係止部Ａｆ1と被係止部Ｂｆ1と、係止部Ａｆ2と被係止部Ｂ
ｆ2、係止部Ａｆ3と被係止部Ｂｆ3及び係止部Ａｆ4と被係止部Ｂｆ4とがそれぞれ係止状
態にある〔図１（Ａ），図５（Ａ），（Ｄ）参照〕。ここで、係止部Ａｆと被係止部Ｂｆの係止状態とは、係止部Ａｆの係止突起２２が、被係止部Ｂｆの被係止孔５３に入り込んでいる状態のことをいう〔図５（Ｄ）参照〕。
【００４１】
次に、パネル収納ケースＡからパネルＢ2のみを引き出す。パネルＢ2を引き出すときには、パネルＢ2の摘み５１を指でつまみＸ方向へスライドさせ引き出す。それぞれのパネ
ルＢは、その被係止部Ｂｆと、対応する係止部Ａｆとは個別に係止固定されている。そして、パネルＢ2を引き出し始めると、係止部Ａｆ2の係止腕片２１が弾性的に撓み、係止突起２２が被係止部Ｂｆ2の被係止孔５３から外れる〔図５（Ｂ），（Ｅ）参照〕。そして
、さらにパネルＢ2を引き出し続けると、係止部Ａｆ2と被係止部Ｂｆ2との係止状態が解
除される〔図５（Ｃ），（Ｆ）参照〕。これによって、パネルＢ2をミシン機枠６から突
出させ、パネルＢ2の縫い模様を視認することができる。
【００４２】
前述したように、係止部Ａｆ1乃至係止部Ａｆ4とパネルＢ1乃至パネルＢ4とは、それぞれが個別に係止されたものであり、パネルＢ2を引き出した時に、他のパネルＢ1，パネルＢ3，パネルＢ4は、対応する係止部Ａｆ1，係止部Ａｆ3，係止部Ａｆ4との係止により引
きずり出されることはない。
【００４３】
以上の説明では、係止部Ａｆ及びパネルＢの個数を示すｎとし、本発明の実施形態としてそれぞれの個数ｎを４として説明した。しかし、係止部Ａｆ及びパネルＢはこの個数に限定されるものではなく、係止部Ａｆ及びパネルＢの個数のｎをミシンの性能に合わせて係止部Ａｆ及びパネルＢのそれぞれの個数ｎを３以下としてもよいし、或いは５以上としても構わない。
【符号の説明】
【００４４】
Ａ…パネル収納ケース、Ａｆ…係止部、１ｂ…パネル出入終端部、１６…係止部、
１７…支持段部、１７ａ…支持面、２１…係止腕片、２２…係止突起、Ｂ…パネル、
Ｂｆ…被係止部、５２…被係止突出板、５３…被係止孔。
【図１】
2019037595.tif 000003
【図２】
2019037595.tif 000004
【図３】
2019037595.tif 000005
【図４】
2019037595.tif 000006
【図５】
2019037595.tif 000007